(57)【要約】ハウジング（１２）を具える家庭用電子機器（１０）である。前記ハウジング（１２）には、制御パネル（１６）が設置されている。前記制御パネル（１６）は、所定のアニメキャラクタの一部と近似する輪郭形状を有する複数の制御キー（１８）を有している。
2006505072.tif 000002
【特許請求の範囲】
【請求項１】
ハウジングと、
前記ハウジングに設置された制御パネルとを具え、前記制御パネルは、複数の制御キーを有し、前記制御キーの少なくとも１つ及び前記制御キーの少なくとも１つの周辺部は、所定のアニメキャラクタの少なくとも一部に近似する輪郭形状を有する家庭用電子機器。
【請求項２】
ハウジングと、
前記ハウジングに設置された少なくとも１つの制御キーとを具え、前記少なくとも１つの制御キーの周辺部は、所定のアニメキャラクタの少なくとも一部に近似する輪郭形状を有する家庭用電子機器。
【請求項３】
ハウジングと、
前記ハウジングに設置された制御手段とを具え、前記制御手段は、所定のアニメキャラクタの少なくとも一部に近似する輪郭形状を定める、少なくとも１つの構成部分から成る家庭用電子機器。
【請求項４】
ハウジングと、
前記ハウジングに設置された制御パネルとを具え、前記制御パネルは、複数の制御キーを有し、
前記ハウジングの輪郭形状は、所定のアニメキャラクタの少なくとも一部に近似している家庭用電子機器。
【請求項５】
請求項１〜４の何れかに記載の家庭用電子機器であって、送受信兼用無線機、ＴＶ受信機、ＤＶＤプレーヤ、ＣＤプレーヤ、ビデオカセットレコーダ、テープレコーダ、時計、ラジオ受信機、コードレス電話機、携帯電話機、リモコン装置、カメラ、パソコン、モニタ、及び前述したものの組合せを含むグループから選択した家庭用電子機器
【請求項６】
前記アニメキャラクタがディズニー（登録商標）のアニメキャラクタである請求項１〜４の何れかに記載の家庭用電子機器。
【請求項７】
請求項１〜４の何れかに記載の家庭用電子機器であって、前記家庭用電子機器が機能を有する特徴部を具え、且つ前記ハウジングの輪郭形状及び前記特徴部は、所定のアニメキャラクタの少なくとも一部に近似している家庭用電子機器。
【請求項８】
請求項４に記載の家庭用電子機器であって、前記家庭用電子機器が機能を有する特徴部を具え、且つ前記制御キーの輪郭形状は、所定のアニメキャラクタの少なくとも一部に近似している家庭用電子機器。
【請求項９】
請求項４に記載の家庭用電子機器であって、前記家庭用電子機器が機能を有する特徴部を具え、且つ複数の制御キーを有し、前記複数の制御キーは、全体として所定のアニメキャラクタの輪郭形状を構成するように配置された家庭用電子機器。
【発明の詳細な説明】
【技術分野】
【０００１】
本発明は家庭用電子機器に関するものである。より詳細には、本発明は新規な構造、機能及び外観を有する家庭用電子機器に関するものである。
【背景技術】
【０００２】
家庭用機器の構造は多くのものが既知である。従来、これら家庭用電子機器は、その形状が比較的地味である。その構造全体の外観及びその他の外観は既定の形をしており、動作制御装置及びボタンもまた従来の形状及び機能性を有している。
【発明の開示】
【０００３】
本発明では、ハウジングを具える家庭用電子機器が提供される。このハウジングには制御パネルが設置され、この制御パネルは複数の制御キーを有している。これら制御キーの少なくとも１つは、該制御キーの周囲のハウジング構造と相まって、所定のアニメキャラクタの少なくとも一部と近似する輪郭形状を呈している。
【０００４】
本発明の第２の態様では、ハウジングを具える家庭用電子機器が提供される。このハウジングには少なくとも１つの制御キーが設置され、該制御キーの周辺部は、所定のアニメキャラクタの少なくとも一部と近似する輪郭形状を有している。
【０００５】
本発明の第３の態様では、ハウジングを具える家庭用電子機器が提供される。このハウジングには制御手段が設置されている。この制御手段は、所定のアニメキャラクタの少なくとも一部と近似する輪郭形状を定める少なくとも１つの構成部品からできている。
【０００６】
前記機器は、送受信兼用無線機、ＴＶ受信機、ＤＶＤプレーヤ、ＣＤプレーヤ、ビデオカセットレコーダ、テープレコーダ、時計、ラジオ受信機、コードレス電話機、携帯電話機、リモコン装置、カメラ、パソコン、モニタ及び前述の組合せを含むグループから選択することができる。
【０００７】
当然、前記第３の態様における前記制御手段は、全般的に、複数の構成要素を組合せて輪郭形状を形成するようにもできる。この輪郭形状における様々な部品又は部位は、前記機器の電子作動装置を起動するための異なる独立した動作及び機能を成すことができる。前記構成要素はキーやボタンに制限されるものではなく、例えば電気の差込口又はキーの周辺部等のような、他の電気的又は機械的部品をも含み得る。
【０００８】
前記アニメキャラクタはディズニー（登録商標）のアニメキャラクタであることが好ましい。該アニメキャラクタの一部は、ミッキーマウス（登録商標）の頭部及び両耳とすることができる。しかしながら、前記制御手段若しくは制御パネルの単一の要素からでも、又は前記制御手段若しくは制御パネルを組合せた複数の要素からでも、選択してアニメキャラクタを形成し得る。従って、例えば、前記制御手段又は制御パネルのキーやボタンを付加することで、アニメキャラクタのミッキーマウス（登録商標）の蝶ネクタイ及び／又は身体及び／又は両足を形成或いは示唆することができ、また他のアニメキャラクタ、特にディズニー（登録商標）のアニメキャラクタの姿を形成或いは示唆することができる。制御手段又は制御パネルのキー又はボタンは、押しボタン又はスライドキーとして与えられ得る。前記キーのそれぞれ又はいくつかにより、前記家庭用機器の制御について異なる機能の動作を実行することができる。
【０００９】
前記機器のうち少なくとも一部の外観を更に強調するために、前記ハウジングは、所定のアニメキャラクタが身に付けるアクセサリに対応する形状を有するようにし得る。この場合、前記機器のハウジングの少なくとも一部は、ミニーマウス（登録商標）がその頭頂部に付けているリボンの形状に近似させることができる。当該機器はパソコンとし得る。前記ハウジング本体が、外観全体として前記アニメキャラクタ又は前記アニメキャラクタの一部を表現する構成にすることができる。かくして、前記機器の様々な要素により、例えば前記アニメキャラクタの頭部、両目、尻尾、両手両足などの様々な特徴部が構成される。例えば前記尻尾は、ワイヤー又はアンテナで構成し得る。キャラクタの耳はスピーカで構成し得る。キャラクタの口はＣＤ又はＤＶＤプレーヤの入力ドライブとすることができる。
【００１０】
必要に応じて、前記機器をホルダと組合せて提供することができる。前記ホルダは、携帯用ケース及び電池充電スタンドとし得る。
【００１１】
以下、本発明を図面に示す実施例につき詳細に説明する。
【００１２】
図１において、参照番号１０は送受信兼用無線機の形態の家庭用電子機器を概略的に示している。送受信兼用無線機１０は、ディスプレイ１４及び制御パネル１６を支持するハウジング１２を有している。制御パネル１６は、ディズニー（登録商標）のアニメキャラクタであるミッキーマウス（登録商標）の頭部及び両耳に近似させたボタン又はキーアレイ１８を有している。かくして、前記アレイ１８は、「通話」キー２０を有している。前記アニメキャラクタの「両耳」を表すキー２２及び２４は、それぞれ前記機器１０の音量を下降又は上昇させるために使用される。
【００１３】
ハウジング１２の上部にはアンテナ２６が設置されている。
【００１４】
ハウジング１２及びアンテナ２６は、アニメ風の外観を有するように形成されている。
【００１５】
図２において、モニタ／ＤＶＤプレーヤの組合せ３０の形態の家庭用電子機器が示してある。
【００１６】
組合せ３０は、モニタ３４を収容するハウジング３２を有している。ＤＶＤを挿入可能なスロット３８に隣接して、制御パネル３６が設置されている。ここにおいても、制御パネル３６は、キー又はボタン４２の上に配置された補助ボタン４４及び４６と共に、前記アニメキャラクタの頭部を表す中央キー又はボタン４２を有するキーアレイ４０を有している。かくして、アレイ４０もまた、ミッキーマウス（登録商標）の頭部及び両耳の形状を表している。
【００１７】
ハウジング３２は、アニメ風の外観を呈するように、いびつな形状とする。
【００１８】
図３において、リモコン装置の形態の家庭用電子機器が図示され、参照番号５０により示されている。リモコン装置５０は、制御パネル５４を設置したハウジング５２を有している。制御パネル５４はキーアレイ５６を有している。キーアレイ５６は、アニメキャラクタのミッキーマウス（登録商標）の頭部を表す第１キー５８を有している。キー５８は、再生／一時停止ボタンである。キー５８に近接して、アニメキャラクタのミッキーマウス（登録商標）の「両耳」を表すキー６０及び６２が配置されている。キー６０は巻戻しキーであり、キー６２は早送りキーである。
【００１９】
リモコン装置５０のハウジング５２は、末端部分で環状のベゼル６４を支持している。ベゼル６４は回転可能であり、ＴＶ受信機、ラジオ受信機、ビデオカセットレコーダ、ＤＶＤプレーヤ等のような様々な電子機器が、リモコン装置５０を経由して制御できるようになっている。
【００２０】
図４において、ＴＶ受信機／ＤＶＤプレーヤの組合せ３０が示されている。図２に関連して、同じ参照番号は他の指定がない限り、対応する部品を示している。
【００２１】
本発明のこの実施例において、離間した一対の支柱７０の間にハウジング３２が支持されている。支柱７０はそれぞれ、下端部では脚７２により、上端部では球状部７４により終端している。球状部７４はそれぞれ、スピーカ７６を支持している。ここにおいても、組合せ３０の構成部品の形状は、組合せ３０にアニメ風の効果を与えるような形状にする。
【００２２】
図５において、参照番号８０はＣＤプレーヤの形態の家庭用電子機器を概略的に示している。ＣＤプレーヤ８０は、蓋部８４を含むハウジング８２を有する。蓋部８４は制御パネル配置８６を有する。制御パネル配置８６は、アニメキャラクタのミッキーマウス（登録商標）の頭部を表す再生／一時停止キーである第１キー９０を有するキーアレイ８８を含んでいる。補助キー９２及び９４は、それぞれ巻戻し及び早送りキーであり、アニメキャラクタのミッキーマウス（登録商標）の「両耳」を表している。
【００２３】
図６において、ＣＤプレーヤの第２実施例８０を示す。図５に関連して、同じ参照番号は他の指定がない限り、対応する部品を示している。
【００２４】
本発明のこの実施例において、ＣＤプレーヤ８０は副次キー９８及び１００を有している。副次キー９８及び１００は、それぞれがアニメキャラクタのミッキーマウス（登録商標）の頭部及び両耳の輪郭を表す周辺部１０２を有している。
【００２５】
図７において、コードレス電話機／電池充電スタンドの組合せ１１０の形態の家庭用電子機器が図示されている。組合せ１１０は、コードレス電話機１１２及び電池充電スタンド１１４を有している。電池充電スタンド１１４は、コードレス電話機１１２の電池を充電するに際しコードレス電話機１１２を挿入可能なソケット１１６を定めている。
【００２６】
コードレス電話機１１２は、制御パネル配置１２０及びディスプレイ１２２を設置したハウジング１１８を有している。ここにおいても、制御パネル配置１２０は、アニメキャラクタのミッキーマウス（登録商標）の頭部を表す「通話」キー１２６、並びに通話音量を下降又は上昇させるための補助ボタン又はキー１２８及び１３０を有するキーアレイ１２４を有している。
【００２７】
スタンド１１４はアンテナ１３２を有している。アンテナ１３２は、組合せ１１０にアニメ風の個性を与えるように、アニメキャラクタの尻尾の外観を呈している。
【００２８】
前記家庭用電子機器は、ハウジング及び該ハウジングに設置された制御パネルを具えており、該制御パネルは複数の制御キーを有している。前記ハウジングの輪郭形状は、所定のアニメキャラクタの少なくとも一部の輪郭形状に近似している。キーは全体として、これらキーのいくつかが共に前記アニメキャラクタの特徴を定めるように配置することができる。
【００２９】
図８において、参照番号１４０はＤＶＤプレーヤの形態の家庭用電子機器を概略的に示している。ＤＶＤプレーヤ１４０は、ＤＶＤを挿入可能なスロット１４４を定めるハウジング１４２を具えている。ＤＶＤプレーヤ１４０の制御パネル配置１４６はキーアレイ１４８を有している。キーアレイ１４８は、アニメキャラクタのミッキーマウス（登録商標）の頭部を表す再生／一時停止キー１５０を有している。さらに、キーアレイ１４８は、前記アニメキャラクタの「両耳」を表す巻戻しキー１５２及び早送りキー１５４を有している。
【００３０】
ハウジング１４２は、アニメ風の外観を機器１４０に与えるように、アニメキャラクタを象徴する両脚１５６により支持されている。
【００３１】
図９に関しては、音響再生機１６０の形態の家庭用電子機器が図示されている。音響再生機１６０は、２つのスピーカ１６４及び１６０を含むハウジング１６２を有している。ハウジング１６２は、幅広のＵ字型の構成をしている。ハウジング１６２は、前面に制御ボタン１７０を有する中央領域１６８を有している。
【００３２】
図１０において、携帯型ラジオ受信機１８０の形態の家庭用電子機器が図示されている。ラジオ受信機１８０は、ユーザの首周りにかけるストラップ１８４により装身するハウジング１８２を有している。
【００３３】
ラジオ受信機１８０は、ハウジング１８２に設置された制御パネル１８６を有している。制御パネル１８６は、キャラクタのミッキーマウス（登録商標）の両耳を表す補助ボタン１９０及び１９２と共に前記キャラクタの頭部を表現している中央ボタン１８８を有している。
【００３４】
ハウジング１８２はさらに、ディスプレイ１９４を支持している。
【００３５】
図１１において、時計／ラジオ受信機の組合せの形態の家庭用電子機器が図示され、参照番号２００により概略的に示されている。
【００３６】
組合せ２００は、制御パネル配置２０４を支持する球状でアニメ風のハウジング２０２を有している。制御パネル配置２０４は、やはり、アニメキャラクタのミッキーマウス（登録商標）の頭部を表す中央キー２０８、並びに前記アニメキャラクタの「両耳」を表す補助キー２１０及び２１２を有するキーアレイ２０６を有している。ハウジング２０２には、時計表示を含むディスプレイ２１４が設置されている。
【００３７】
図１２において、参照番号２２０はＴＶ受信機／ＤＶＤプレーヤの組合せを概略的に示している。図４に関連して、同じ参照番号は他の指定がない限り、対応する部品を示している。
【００３８】
本発明のこの実施例において、ハウジング３２は、モニタ３４及び上部制御パネル配置３６．１を支持する第１の上部ハウジング３２．１を具えている。第２の下部ハウジング３２．２は、ＤＶＤプレーヤ３８及び下部制御パネル配置３６．２を支持している。制御パネル配置３６．１は、アニメキャラクタのミッキーマウス（登録商標）の頭部及び「両耳」をそれぞれ表す、中央キー４２．１並びに補助キー４４．１及び４６．１を有する制御キーアレイ４０．１を有している。同様に、制御パネル配置３６．２は、中央の頭部キー４２．２並びに「耳」のキー４４．２及び４６．２を有する第２制御キーアレイ４０．２を有している。
【００３９】
図１３に関しては、ＴＶ受信機が図示され、参照番号２３０により概略的に示されている。ＴＶ受信機２３０は、図１２に示した組合せ２２０のＴＶ受信機の部分と同じものであるが、ハウジング３２単一である。
【００４０】
図１４〜１８は、本発明による家庭用電子機器に用いる制御パネル配置２５０の様々な実施例を示している。
【００４１】
図１４、１６及び１８において、それぞれの制御パネル配置は、アニメキャラクタのミッキーマウス（登録商標）の「頭部」及び「両耳」を表すキー又はボタン２５２及び２５４に加えて、前記キャラクタの「蝶ネクタイ」を表すボタン又はキー２５６を有している。さらに、図１４、１５及び１７における制御パネル配置２５０の場合、制御パネル配置２５０はミッキーマウス（登録商標）キャラクタの「身体」を表す又は示唆するキー又はボタン２５８を有している。
【００４２】
図１８に示す制御パネル配置２５０の場合は、入力又は出力ジャック（不図示）のためのソケット２６０は、アニメキャラクタのミッキーマウス（登録商標）の「頭部」及び「両耳」の形状をした周辺部２６２を有している。
【００４３】
従って、人目を引くキャラクタを有し且つその制御キー配置のため視認性に優れた家庭用電子機器が提供されることは、本発明の利点である。
【００４４】
特定の実施例において示したように、広範に説明した本発明の精神又は範囲から逸脱することなく多数の変形及び／又は変更がされ得るということは、当業者には当然の事項である。それゆえ、本実施例については、あらゆる点で例示として解すべきであり、限定的に解すべきではない。
【図面の簡単な説明】
【００４５】
【図１】本発明による家庭用電子機器を、送受信兼用無線機の形態で示した立体図である。
【図２】本発明による家庭用電子機器を、モニタの形態で示した立体図である。
【図３】本発明による家庭用電子機器を、リモコン装置の形態で示した立体図である。
【図４】本発明による家庭用電子機器を、ＴＶ受信機／ＤＶＤプレーヤの組合せの形態で示した立体図である。
【図５】本発明による家庭用電子機器を、ＣＤプレーヤの形態で示した立体図である。
【図６】本発明による家庭用電子機器を、ＣＤプレーヤの形態で示した立体図である。
【図７】本発明による家庭用電子機器を、コードレス電話機の形態で示した立体図である。
【図８】本発明による家庭用電子機器を、ＤＶＤプレーヤの形態で示した立体図である。
【図９】本発明による家庭用電子機器を、音響再生機の形態で示した立体図である。
【図１０】本発明による家庭用電子機器を、ラジオ受信機の形態で示した立体図である。
【図１１】本発明による家庭用電子機器を、ラジオ受信機の形態で示した立体図である。
【図１２】本発明による家庭用電子機器を、ＴＶ受信機／ＤＶＤプレーヤの組合せの形態で示した正面図である。
【図１３】本発明による家庭用電子機器を、ＴＶ受信機の形態で示した正面図である。
【図１４】前記家庭用電子機器の制御パネルの配置の一実施例を示したものである。
【図１５】前記家庭用電子機器の制御パネルの配置の他の実施例を示したものである。
【図１６】前記家庭用電子機器の制御パネルの配置のさらに他の実施例を示したものである。
【図１７】前記家庭用電子機器の制御パネルの配置のさらに他の実施例を示したものである。
【図１８】前記家庭用電子機器の制御パネルの配置のさらに他の実施例を示したものである。
【図１】
2006505072.tif 000003
【図２】
2006505072.tif 000004
【図３】
2006505072.tif 000005
【図４】
2006505072.tif 000006
【図５】
2006505072.tif 000007
【図６】
2006505072.tif 000008
【図７】
2006505072.tif 000009
【図８】
2006505072.tif 000010
【図９】
2006505072.tif 000011
【図１０】
2006505072.tif 000012
【図１１】
2006505072.tif 000013
【図１２】
2006505072.tif 000014
【図１３】
2006505072.tif 000015
【図１４】
2006505072.tif 000016
【図１５】
2006505072.tif 000017
【図１６】
2006505072.tif 000018
【図１７】
2006505072.tif 000019
【図１８】
2006505072.tif 000020
【国際調査報告】
2006505072.tif 000021